【手続補正書】
【提出日】平成18年6月1日(2006.6.1)
【手続補正１】
【補正対象書類名】明細書
【補正対象項目名】発明の名称
【補正方法】変更
【補正の内容】
【発明の名称】拡散シート、拡散シート用成形型、透過型スクリーン及び拡散シートの製造方法
【手続補正２】
【補正対象書類名】明細書
【補正対象項目名】特許請求の範囲
【補正方法】変更
【補正の内容】
【特許請求の範囲】
【請求項１】  略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートであって、
前記単位レンズ部切断面の略台形形状は、少なくとも一方の側辺が曲線からなることを特徴とする拡散シート。
【請求項２】  前記単位レンズ部切断面の略台形形状における一方の側辺が直線である単位レンズ部を有することを特徴とする請求項１に記載の拡散シート。
【請求項３】  前記単位レンズ部切断面の略台形形状において、前記曲線が略台形形状の内側に凸な曲線または外側に凸な曲線であって、内側に凸な曲線からなる側辺の数と外側に凸な曲線からなる側辺の数とが拡散シート全体として略同一であり、内側に凸な曲線からなる右側辺を有する単位レンズ部の数と内側に凸な曲線からなる左側辺を有する単位レンズ部の数とが拡散シート全体として略同一であり、外側に凸な曲線からなる右側辺を有する単位レンズ部の数と外側に凸な曲線からなる左側辺を有する単位レンズ部の数とが拡散シート全体として略同一であることを特徴とする請求項１または請求項２に記載の拡散シート。
【請求項４】  前記単位レンズ部切断面の略台形形状の両側辺が内側に凸な曲線からなる単位レンズ部と、前記単位レンズ部切断面の略台形形状の両側辺が外側に凸な曲線からなる単位レンズ部とが交互に配列されていることを特徴とする請求項１に記載の拡散シート。
【請求項５】  前記単位レンズ部の出光面側に拡散剤を含有する支持板を備えたことを特徴とする請求項１乃至請求項４のいずれか１項に記載の拡散シート。
【請求項６】  前記支持板における出光面側が平坦に形成されることを特徴とする請求項５に記載の拡散シート。
【請求項７】  前記支持板は、紫外線吸収剤を含有することを特徴とする請求項５または請求項６に記載の拡散シート。
【請求項８】  前記単位レンズ部は、放射線硬化型樹脂で形成されることを特徴とする請求項１乃至請求項７のいずれか１項に記載の拡散シート。
【請求項９】  略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、
当該成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向が成形型全体として左右略同一に成形されたことを特徴とする拡散シート用成形型。
【請求項１０】  略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、
拡散シート用マスター成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向がマスター成形型全体として左右略同一に成形された拡散シート用マスター成形型を用いて複製したことを特徴とする拡散シート用成形型。
【請求項１１】  請求項１乃至請求項８のいずれか１項に記載の拡散シートと、その入光面側にフレネルレンズシートと、を備えることを特徴とする透過型スクリーン。
【請求項１２】  略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、
当該成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向が成形型全体として左右略同一に成形された拡散シート用成形型を用いて成形されたことを特徴とする拡散シート。
【請求項１３】  略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、
拡散シート用マスター成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向がマスター成形型全体として左右略同一に成形された拡散シート用マスター成形型を用いて複製した拡散シート用成形型を用いて成形されたことを特徴とする拡散シート。
【請求項１４】
略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、当該成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向が成形型全体として左右略同一に成形されたロール形状成形型を用い、
回転可能に軸を固定された前記ロール形状成形型とローラとの間に前記拡散シートの基材を通過させるとともに、このフィルムと前記ロール形状成形型との間に単位レンズ部用の液状樹脂を流し込み、前記液状樹脂を前記基材と共に前記ロール形状成形型に沿って通過させ、前記液状樹脂を複数の前記単位レンズ部の形状にし、
前記基材と前記単位レンズ部用の液状樹脂が、前記ロール形状成形型と前記ローラの間を通過した後、前記基材と前記単位レンズ部用の液状樹脂を硬化させ、
硬化した樹脂と前記基材とからなる拡散シートをロール形状成形型から剥離することを特徴とする拡散シートの製造方法。
【請求項１５】
略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、当該成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向が成形型全体として左右略同一に成形された平面形状成形型を用い、
前記平面形状成形型に前記単位レンズ部用の液状樹脂を埋め込むように塗布し、
その上に前記拡散シートの基材を載せてプレスした後、前記液状樹脂を硬化させ、
前記拡散シートを平面形状成形型から剥離することを特徴とする拡散シートの製造方法。
【請求項１６】
略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、拡散シート用マスター成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向がマスター成形型全体として左右略同一に成形された拡散シート用マスター成形型を用いて複製したロール形状成形型を用い、
回転可能に軸を固定された前記ロール形状成形型とローラとの間に前記拡散シートの基材を通過させるとともに、このフィルムと前記ロール形状成形型との間に単位レンズ部用の液状樹脂を流し込み、前記液状樹脂を前記基材と共に前記ロール形状成形型に沿って通過させ、前記液状樹脂を複数の前記単位レンズ部の形状にし、
前記基材と前記単位レンズ部用の液状樹脂が、前記ロール形状成形型と前記ローラの間を通過した後、前記基材と前記単位レンズ部用の液状樹脂を硬化させ、
硬化した樹脂と前記基材とからなる拡散シートをロール形状成形型から剥離することを特徴とする拡散シートの製造方法。
【請求項１７】
略台形柱からなる単位レンズ部を、長軸方向が互いに平行になるように、かつ、単位レンズ部の略台形柱の長軸方向に垂直な切断面の略台形形状における長い底辺の面が全て入光面側の一平面上にあるように複数個配列し、出光面側から入る外部光を吸収または／および遮光する光吸収部が隣り合う単位レンズ部の間の溝に形成され、前記単位レンズ部の切断面における側辺において光を全反射する拡散シートを成形するための成形型であって、拡散シート用マスター成形型の材料に、隣り合う一以上の単位レンズ部用凹部のスペースを残して単位レンズ部用の台形柱型の凹部を複数切削した後、残された単位レンズ部用凹部のスペースに単位レンズ部用の台形柱型の凹部を切削することにより、隣り合う単位レンズ部用凹部の間の凸部が傾き、当該傾く方向がマスター成形型全体として左右略同一に成形された拡散シート用マスター成形型を用いて複製した平面形状成形型を用い、
前記平面形状成形型に前記単位レンズ部用の液状樹脂を埋め込むように塗布し、
その上に前記拡散シートの基材を載せてプレスした後、前記液状樹脂を硬化させ、
前記拡散シートを平面形状成形型から剥離することを特徴とする拡散シートの製造方法。
【請求項１８】
前記液状樹脂は紫外線硬化性樹脂であり、前記液状樹脂を硬化させる際には前記液状樹脂に紫外線を照射することを特徴とする請求項１４乃至請求項１７のいずれか１項に記載の拡散シートの製造方法。
【請求項１９】
前記成形型から離型された前記拡散シートにおける各前記単位レンズ部の間の溝に、前記光吸収部用の材料からなる黒色樹脂を埋め込むように塗布し、前記光吸収部を形成することを特徴とする請求項１４乃至請求項１８のいずれか１項に記載の拡散シートの製造方法。